(57)【要約】【課題】樹木及びその切り株，根っこ等の伐採，さらに伐採された樹木を細かく切断して運搬に適した状態にする作業を極めて効率的に行うことができ、特に樹木の切断において僅かな切り残しの部分が生じることがない、確実な切断ができる樹木切断機を提供すること。【解決手段】山形状刃部６を備えた可動切断体Ｂと、該可動切断体Ｂを揺動自在に支持するとともに前記山形状刃部６が挿入自在とした挿入部３ａを有する切断支持部３を備えた固定顎Ａとからなること。前記切断支持部３には前記挿入部３ａの上辺３ａ１  を頂部としてその幅方向両側に下り勾配状の傾斜支持部３ｂ，３ｂが形成されること。【選択図】      図１
2004187535.tif 000002
【特許請求の範囲】
【請求項１】
山形状刃部を備えた可動切断体と、該可動切断体を揺動自在に支持するとともに前記山形状刃部が挿入自在とした挿入部を有する切断支持部を備えた固定顎とからなり、前記切断支持部には前記挿入部の上辺を頂部としてその幅方向両側に下り勾配状の傾斜支持部が形成されてなることを特徴とする樹木切断機。
【請求項２】
請求項１において、前記傾斜支持部は、勾配方向を直線状に形成されてなることを特徴とする樹木切断機。
【請求項３】
請求項１又は２において、前記山形状刃部は、その刃渡り方向に沿ってほぼ多角形状に形成されてなることを特徴とする樹木切断機。
【請求項４】
請求項１又は２において、前記山形状刃部は、その刃渡り方向に沿ってほぼ三角形状に形成されてなることを特徴とする樹木切断機。
【請求項５】
請求項１，２，３又は４において、前記切断支持部の挿入部は長手方向に沿ってほぼ直線状に形成されてなることを特徴とする樹木切断機。
【請求項６】
請求項１，２，３又は４において、前記切断支持部の挿入部は前記山形状刃部の刃先形状とほぼ同等の凹み弧状に形成されてなることを特徴とする樹木切断機。
【請求項７】
請求項１，２，３，４，５又は６において、前記傾斜支持部は、固定顎の長手方向に沿って設けられた複数の凸形支持条からなり、該凸形支持条は前記切断支持部の幅方向両側において下り勾配に沿う高さとなるようにしたことを特徴とする樹木切断機。
【請求項８】
請求項１，２，３，４，５又は６において、前記傾斜支持部は、平坦支持面としてなることを特徴とする樹木切断機。
【発明の詳細な説明】
【０００１】
【発明の属する技術分野】
本発明は、樹木及びその切り株，根っこ等の伐採，さらに伐採された樹木を細かく切断して運搬に適した状態にする作業を極めて効率的に行うことができ、特に樹木の切断において僅かな切り残しの部分が生じることがない、確実な切断ができる樹木切断機に関する。
【０００２】
【従来の技術】
従来より、山間部における道路建設，宅地造成及びその他の建設，土木工事等の開発工事において、まず樹木が伐採される。その伐採された樹木を他の場所へ搬出するために、運搬車両の荷台の大きさに合わせて、適宜の長さとなるように切断する必要がある。この樹木の伐採と、その伐採された樹木を運搬に適した長さに切断する作業は、チェーンソーにより行われる。チェーンソーは、切断作業に時間がかかり、また切断するにつれて、樹木側の抵抗も増加し、作業効率が次第に低下してゆくことになる。
【０００３】
さらに、最近では、下記特許文献１に開示されているように、油圧ショベル等の建設土木車両のブーム先端に装着されるタイプのものが存在する。この種のものでは、特許文献１に記載されているように、回転機構により駆動する丸形鋸を備えた装置がブーム先端に装着されるものがある。或いは、可動顎と固定顎とが相対的且つ挟み状に可動する仕組みで、いずれかの側（主に可動顎側）に回動切断刃が装着され、両顎の挟持動作により、樹木の伐採が行われたり、伐採された樹木が適宜の長さとなるように切断されるものもある。この種の切断機では、固定顎と可動顎本体との挟持力が回動切断刃に伝わり、該回動切断刃が樹木に食い込むときの剪断により切断作業が行われる。
【０００４】
【特許文献１】
実開昭６４−５６６４７号
【０００５】
【発明が解決しようとする課題】
上記特許文献のように、建設土木車両のブーム先端に装着されるタイプのものにおいて、固定顎と可動顎本体との挟持力は、油圧出力等を強化すれば、切断力を強力なるものにできるが、回動切断刃が樹木を切断するために食い込むと、その食い込む深さが深くなるにつれて樹木側からの切断抵抗が次第に増加する。即ち、切断しようとする回動切断刃の両側面に樹木側からの押圧力が切断作業とともに同時にかかり、これが切断時における摩擦となり、さらに切断抵抗となる。この切断抵抗は極めて大きく、伐採しようとする樹木又は伐採された樹木の直径が太いものであればあるほど、その切断抵抗は増加し、やがては、回動切断刃が進まず停止し、それ以上は切断ができなくなることがある。
【０００６】
上記の点を克服するために、切断機の油圧機構における出力をより一層大きくする等して解決されるが、これによって、油圧ショベル車両も大型のものが必要となる。ところが、山中，森林における伐採現場は、地形が劣悪であり、また、周囲に伐採されていない樹木が多数散在しているために、油圧ショベル車両に与えられた作業スペースが極めて小さく限定される。また、機動性の観点からしても、大型の車両を持ち込むことは到底できないものである。また、多少の無理をしてでも、大型車両を持ち込むことは、必要以上に時間がかかるし、また同時に環境の破壊にもつながりかねない。
【０００７】
さらに、樹木を切断する作業では、まず樹木を切断機の固定刃と可動刃で挟み、切断するものであるが、樹木に対して刃の切断が樹木の直径方向内に進行するにしたがい、残り少ない樹肉は柔軟となり、食い込む刃とともに変形しはじめ、その刃に馴染んでしまい、樹木を最後まで確実に切断させることができないことがある。すなわち、樹木の樹皮の厚みの部分だけ、どうしても切り残しが出てしまうことがあり、これらは、別の鋸等の切断具を用いて切断することになり、樹木切断作業の大きな障害となるおそれがある。本発明は、以上に述べたような、樹木の切断時における諸々の問題点を解消することを目的とする。
【０００８】
【課題を解決するための手段】
そこで、発明者は、上記課題を解決すべく、鋭意，研究を重ねた結果、本発明を、山形状刃部を備えた可動切断体と、該可動切断体を揺動自在に支持するとともに前記山形状刃部が挿入自在とした挿入部を有する切断支持部を備えた固定顎とからなり、前記切断支持部には前記挿入部の上辺を頂部としてその幅方向両側に下り勾配の傾斜支持部が形成されてなる樹木切断機としたことにより、切断作業において樹木を掴むときに、樹木が両切断刃から脱落することを防止し、伐採された樹木を極めて効率的に切断することができ、上記課題を解決したものである。
【０００９】
【作用】
まず、可動切断体Ｂと固定顎Ａとで樹木Ｗを挟み、樹木Ｗを切断支持部３にて支持する。次に、図４（Ａ）に示すように、可動切断体Ｂを固定顎Ａに対して閉じるように作動させ、山形状刃部６を樹木Ｗに切り込ませる。その山形状刃部６は、次第に樹木Ｗに食い込み、図４（Ｂ）に示すように、山形状刃部６の刃先が挿入部３ａの上辺３ａ１  に近接すると、樹木Ｗは直径方向においてほぼ半分付近まで切断された状態となる。
【００１０】
前記切断支持部３は、挿入部３ａを中心にして、その両側に下り勾配とした傾斜支持部３ｂ，３ｂが形成されているので、樹木Ｗがその自重にて「へ」字形状に折れ曲がると、その折曲中心より両側部位が前記傾斜支持部３ｂ，３ｂに支持される。すなわち、前記樹木Ｗの切断による折れ曲がり箇所は、図４（Ｃ）に示すように、山形状刃部６側に向かって凸状となっているので、さらに山形状刃部６が挿入部３ａに挿入する状態となったときには、樹木Ｗの僅かに切断されずに残っている薄い部分も確実且つ完全に切断されるものである。
【００１１】
【発明の実施の形態】
以下、本発明の実施形態を図面に基づいて説明する。本発明の構成は、図１，図３等に示すように、主に固定顎Ａと可動切断体Ｂと駆動部筺体Ｃとから構成される。前記固定顎Ａは、駆動部筺体Ｃと接続しており、また可動切断体Ｂは前記駆動部筺体Ｃに揺動自在に枢支され、前記可動切断体Ｂが前記固定顎Ａ上を開閉自在な構造となっている。その可動切断体Ｂの操作の動力源としては、駆動部筺体Ｃ内に装着された油圧シリンダ１２であり、該油圧シリンダ１２のピストンロッド１２ｂの先端が前記可動切断体Ｂと連結している〔図３（Ｂ）参照〕。
【００１２】
まず、固定顎Ａは、図１，図２（Ａ），図３等に示すように、主に顎部１と，切断支持部３とから構成されたものである。その顎部１の形状は、前記駆動部筺体Ｃとの接続側から、先端に向かうにしたがい、次第に断面積が小さくなって、細くなるように形成されたものである。その顎部１において、可動切断体Ｂとの対向する面，すなわち、前記可動切断体Ｂとともに樹木Ｗを切断する面を切断作業面１ａと称する。
【００１３】
前記顎部１が前記可動切断体Ｂ及び山形状刃部６とともに樹木Ｗを挟持且つ切断するにおいて、顎部１側の樹木Ｗを支持する範囲における面を切断作業面１ａと称する。該切断作業面１ａには、図１（Ｂ）に示すように、切断支持部３が設けられている。該切断支持部３は、本装置にて樹木Ｗを切断するときに、該樹木Ｗを支持する役目をなす部位である。その切断支持部３は、前記山形状刃部６と対応する位置に装着され、可動切断体Ｂが顎部１に閉じた状態で、その山形状刃部６が切断支持部３に形成されている（後述の）挿入部３ａに挿入する状態となる。
【００１４】
その切断支持部３は、図１，図３に示すように、前記切断作業面１ａの表面から前記可動切断体Ｂ側に向かって突出するようにして形成されたものであり、その頂部箇所から固定顎Ａの長手方向（前後方向ともいう）に沿って線状又は筋状に挿入部３ａが形成されている。該挿入部３ａは、その切断作業面１ａ側における開口箇所を上辺３ａ１  と称する。また上辺３ａ１  は具体的には、後述する両傾斜支持部３ｂ，３ｂの対向する上端縁箇所である。
【００１５】
そして、挿入部３ａは、その開口箇所とした上辺３ａ１  から固定顎Ａの下方側に向かって溝穴状又は貫通孔状に形成されたものである。特に、挿入部３ａを貫通孔状とした場合には、固定顎Ａの切断作業面１ａ側から固定顎Ａの外面側に向かって貫通するようにしたものである。さらに挿入部３ａは、固定顎Ａの長手（前後）方向に沿って、前記山形状刃部６の刃渡り方向に対応する位置に線状又は筋状に形成されたものである。
【００１６】
その挿入部３ａは、幅方向（固定顎Ａの幅方向に等しい）における貫通孔又は溝の幅寸法は、前記山形状刃部６の刃先が適正な隙間を有して挿入することができる程度とすることが好適である。最も好ましくは、山形状刃部６の刃先が挿入部３ａの上辺３ａ１  から挿入しはじめた状態で樹木Ｗの切断された残り部分が山形状刃部６と上辺３ａ１  の開口縁との間に挟まりながら、山形状刃部６の刃先とともに挿入部３ａに入り込んだ樹木Ｗの部位が容易に切断される程度の幅としたものである。
【００１７】
その挿入部３ａには、挿入部３ａの上辺３ａ１  が頂部となるようにして、該上辺３ａ１  の幅方向両側（固定顎Ａの幅方向に等しい）から下り勾配となる傾斜支持部３ｂ，３ｂが形成されている。その挿入部３ａの上辺３ａ１  は、固定顎Ａの長手方向沿って直線状であり、且つ高さ方向において、均一となるように形成されている。その傾斜支持部３ｂ，３ｂは、図２（Ｂ）に示すように、幅方向において左右対称の下り勾配となるように形成されている。
【００１８】
また、両傾斜支持部３ｂ，３ｂの下り勾配におけるそれぞれの傾斜角度θは、水平線に対して僅かに傾斜していればよいが、あまり急傾斜とならないほうが好ましい。適正な傾斜角度θとしては、約５°乃至約４５°程度であり、さらに約１０°乃至約３０°程度が好適であり、さらに好適なものとして約１０°乃至約１５°程度である。また、傾斜支持部３ｂの傾斜角度θは、後述する山形状刃部６の刃先縁６ｔの角度の約半分程度とするのが好適である。すなわち、刃先縁６ｔの刃渡り方向に直交する断面の角度は２θとなる。その傾斜支持部３ｂ，３ｂは、勾配方向に沿って断面形状が直線となっている。或いは、その傾斜支持部３ｂ，３ｂは、僅かに膨らみ状又は凹み状の円弧形状面とすることもある。
【００１９】
切断支持部３における、両傾斜支持部３ｂ，３ｂは、種々のタイプが存在するが、その第１タイプとしては、複数の凸形支持条３ｂ１  ，３ｂ１  ，…から構成されるものである。該凸形支持条３ｂ１  は、断面長方形，正方形等の方形状或いは台形状等とした角軸状に形成されたもので、前記顎部１の切断作業面１ａ上に、その長手方向に沿って複数の凸形支持条３ｂ１  ，３ｂ１  ，…が配置形成されたものである。具体的には、顎部１と凸形支持条３ｂ１  ，３ｂ１  ，…とは別部材とし、顎部１の切断作業面１ａ上に凸形支持条３ｂ１  ，３ｂ１  ，…を溶接等にて固着したものである。
【００２０】
或いは顎部１の切断作業面１ａに凸形支持条３ｂ１  ，３ｂ１  ，…が一体的に形成されるように切削加工又は鋳造により形成されることもある。顎部１の幅方向において隣接する凸形支持条３ｂ１  ，３ｂ１  間には、溝形状の溝形支持条３ｂ１２，３ｂ１２，…が形成される。すなわち、凸形支持条３ｂ１  と溝形支持条３ｂ１２とが交互に形成されるものである。図１（Ｂ），図２（Ｂ）では、凸形支持条３ｂ１  の数は４本であるが、特にその凸形支持条３ｂ１  の本数は限定されるものではなく、６本或いは８本等としてもよい。ただし、凸形支持条３ｂ１  ，３ｂ１  ，…の数が増えるのに応じて凸形支持条３ｂ１  の幅寸法も小さく、前述した溝形支持条３ｂ１２が形成されるようにするものである。
【００２１】
また、凸形支持条３ｂ１  は前記切断支持部３の幅方向両側において下り勾配に沿う高さとなるようにしている。すなわち、隣接配置された凸形支持条３ｂ１  ，３ｂ１  のそれぞれの頂面３ｂ１１，３ｂ１１，…が下り勾配の傾斜角度θに沿って位置するように、それぞれの凸形支持条３ｂ１  の高さが決定される。具体的には、前述した両傾斜支持部３ｂ，３ｂのそれぞれ傾斜角度θに合わせて、前記凸形支持条３ｂ１  の頂面３ｂ１１が、図２（Ｂ）に示すように、傾斜角度θの下り勾配に沿った傾斜面として形成されている。
【００２２】
そして、顎部１の挿入部３ａを中心としてその幅方向両側にて隣接する凸形支持条３ｂ１  ，３ｂ１  ，…は、その頂面３ｂ１１，３ｂ１１，…同士が前記傾斜角度θの傾斜を示す仮想傾斜線Ｌ上に一致するようになっている。該仮想傾斜線Ｌは、傾斜角度θを表すために、図面上においてのみ記載されるものであって、図１（Ｂ），図２（Ｂ），（Ｃ）等に記載されている。このように、適宜の間隔をおいて隣接する凸形支持条３ｂ１  ，３ｂ１  ，…は、常に傾斜角度θを構成しながら断続状の傾斜面を有する傾斜支持部３ｂを構成するものといえる。
【００２３】
また、このような凸形支持条３ｂ１  ，３ｂ１  ，…の変形例としては、図２（Ｂ）に示すように、中空角材を長手方向に沿って適宜に切断して、その長手方向に直交する断面がコ字形状となるように形成し、これを顎部１の切断作業面１ａに固着するものである。この場合には、中空角材の辺が各凸形支持条３ｂ１  ，３ｂ１  ，…としての役目をなす。この第１タイプの変形例の各凸形支持条３ｂ１  ，３ｂ１  ，…の頂部も前述したように、傾斜角度θの仮想傾斜線Ｌ上に一致するように形成される。また、第１タイプの変形例における各凸形支持条３ｂ１  ，３ｂ１  ，…の頂面３ｂ１１，３ｂ１１，…は、図２（Ｃ）に示すように、その幅が極めて狭いので、その頂面３ｂ１１，３ｂ１１，…を傾斜角度θなる傾斜面とすることは必ずしも必要はない。また前記溝形支持条３ｂ１２は、凸形支持条３ｂ１  ，３ｂ１  ，…間に必然的に形成される。
【００２４】
次に、切断支持部３の傾斜支持部３ｂの第２タイプとしては、図５（Ａ），（Ｂ）に示すように、その表面が平坦面状とした平坦支持面３ｂ２  として形成されたものである。両平坦支持面３ｂ２  ，３ｂ２  は、具体的には顎部１の幅方向において、前記挿入部３ａを中心として、その幅方向両側端に向かってそれぞれ下り勾配となるようにしたものである。この第２タイプにおける平坦支持面３ｂ２  ，３ｂ２  のそれぞれの傾斜角度θも前記第１タイプと同様の角度に設定されるものである。
【００２５】
また、切断支持部３の傾斜支持部３ｂ，３ｂの第３タイプとして、図６（Ａ），（Ｂ）に示すように、挿入部３ａの上辺３ａ１  が山形状刃部６の刃渡り方向における刃先形状とほぼ同等形状となるように凹み状となるように凹み状支持面３ｂ３  ，３ｂ３  が形成されたものである。この凹み状支持面３ｂ３  ，３ｂ３  は、具体的には、上辺３ａ１  が長手方向に沿って湾曲状に凹むようにして形成されたものであり、また両凹み状支持面３ｂ３  ，３ｂ３  は、幅方向に沿って直線状の下り勾配となり〔図６（Ｃ）参照〕、且つ固定顎Ａの長手方向（前後方向）においては、上辺３ａ１  に倣って湾曲状に形成されている。その下り勾配の傾斜角度θは前記第１，第２タイプと同様の角度に設定される。このように上辺３ａ１  を長手方向に沿って山形状刃部６の刃先形状に合わせた形状とすることで、切断支持部３は樹木Ｗをしっかりと保持し易くなり、ひいては切断作業を安定した状態で行いやすくするものである。
【００２６】
その顎部１の先端箇所には、固定先端刃４が形成されている。該固定先端刃４は、前記顎部１の長手方向にほぼ直交して装着された板状材であり、その幅方向中央箇所は、可動切断体Ｂ側に向かってほぼＶ字形状に切除された切欠溝４ａが形成されている〔図１（Ａ），（Ｂ）参照〕。また、固定先端刃４の頂部付近は先鋭状に尖っている。該固定先端刃４は、前記固定顎Ａと可動切断体Ｂとで切断作業を行うときに、樹木Ｗが固定顎Ａと可動切断体Ｂとの間からこぼれ落ちることを防止するもである。
【００２７】
次に、可動切断体Ｂは、図１，図３等に示すように、切断本体部５，山形状刃部６と補助刃部７及び可動フレーム８等から構成されている。また、前記切断本体部５には、厚さ方向に偏平溝状の凹みを形成して補強部としたり、或いは必要に応じてリブ等の補強材が形成されることもある。その切断本体部５には、山形状刃部６及び補助刃部７とを一体的且つ連続的に形成されており、これらによって切断の役目をなす部位を構成している。その切断本体部５の外周箇所は、可動フレーム８のフレーム本体部８ａにより囲まれている。その可動フレーム８は、切断作業に十分に耐えうるように、極めて強固に形成されており、該可動フレーム８に形成された揺動基部８ｂが前記駆動部筺体Ｃに枢支連結される。その枢支箇所を枢支部Ｓ１  と称する。
【００２８】
また、前記可動フレーム８には、シリンダ連結部８ｃが形成されており、該シリンダ連結部８ｃが油圧シリンダ１２に枢支連結し、該油圧シリンダ１２を駆動源として可動切断体Ｂが揺動操作される。そのシリンダ連結部８ｃと油圧シリンダ１２との連結箇所を枢支部Ｓ２  と称する。さらに、可動フレーム８の自由先端には、先端爪部８ｄが形成され、該先端爪部８ｄによって切断作業時に、固定顎Ａと可動切断体Ｂとの間から樹木Ｗが脱落することを防止する。
【００２９】
また、前記固定顎Ａと可動切断体Ｂとの枢支部Ｓ１  箇所には、補助カッタ１３が装着され、鉄筋等の硬質材が切断することができるようになっている。該補助カッタ１３は、固定顎Ａ側に形成された固定カッタ部１３ａと、可動切断体Ｂ側に形成された可動カッタ部１３ｂとからなり、可動切断体Ｂが可動することにより、固定カッタ部１３ａと可動カッタ部１３ｂとが交差して、小枝，鉄筋，鉄骨等を切断することができ、山林のみならず、ビル等の解体による鉄筋の切断及び植樹の伐採の両方で使用可能となる。
【００３０】
次に山形状刃部６は、前記固定顎Ａ側に向かって突出状に形成されたものであり、且つ前述したように前記挿入部３ａに挿入又は貫入する部位である。その山形状刃部６の刃先縁６ｔは、刃先に向かって次第に厚さが薄くなるように形成されているが、その刃先縁６ｔ，すなわち、先端箇所の形状は、刃渡り方向に直交する断面形状がほぼ半円状となるように形成されている。
【００３１】
その山形状刃部６には、形状に複数のタイプがあり、その第１タイプは、弧状とした弧状山形状刃部６ａである。具体的には、刃渡り方向（刃の長手方向）に沿って、その中央箇所が最も膨らむように偏平弧状に形成されたものである〔図１（Ａ），図３等参照〕。このタイプの山形状刃部６は、刃渡り方向に沿って弧状であるために、刃渡り方向に沿って角部が存在せず、刃渡り方向のいずれの箇所でもその剪断力は均一となる。
【００３２】
次に、山形状刃部６の形状の第１タイプは、図７（Ａ）に示すように、ほぼ半月多角形状に形成された多角山形状刃部６ｂである。該多角山形状刃部６ｂは、異なる傾斜の直線刃先部が複数連続したものである。このタイプの山形状刃部６は、隣り合う直線刃先部６ｂ１  ，６ｂ１  同士が適宜の角度をなして連続するものである。図示された実施形態では、４つの直線刃先部６ｂ１  ，６ｂ１  ，…が連続形成されており、それぞれの隣接する直線刃先部６ｂ１  ，６ｂ１  間に３個の角部が存在する。この多角山形状刃部６ｂは、複数の直線刃先部６ｂ１  ，６ｂ１  ，…の集合で、これらがなす複数の角部との構成により、樹木Ｗの切断を行うものである。
【００３３】
次に、山形状刃部６の形状の第２タイプは、図７（Ｂ）に示すように、ほぼ三角形状に形成された三角山形状刃部６ｃとしたものである。該三角山形状刃部６ｃは、その頂角６ｃ１  箇所における刃先縁６ｔが最も鋭利となっており、その頂角６ｃ１  箇所の刃先縁６ｔによって、上記他の２タイプの山形状刃部６よりも樹木Ｗに対して食い込み易くなっている。
【００３４】
その切断本体部５には、前記山形状刃部６とともに、該山形状刃部６と隣接し且つ可動切断体Ｂの揺動中心側寄りの位置に補助刃部７が形成されている。該補助刃部７は、刃渡り方向に沿って直線状の刃先縁６ｔを有しており、前記可動切断体Ｂに貫入するものではないが、前記切断作業面１ａにおいて切断支持部３の挿入部３ａ以外の箇所にはみ出した樹木Ｗの切断を行うものである。
【００３５】
次に、駆動部筺体Ｃは、筺体部９と、連結部１０とから構成される。前記筺体部９内には、油圧シリンダ１２が装着されている。また連結部１０は、油圧ショベル等の建設用車両のブームの先端に装着する役目をなすものである。前記固定顎Ａに対する可動切断体Ｂの揺動動作は、油圧シリンダ１２によって行われる。具体的には、前記駆動部筺体Ｃに油圧シリンダ１２のシリンダ部１２ａとが揺動自在に枢支部Ｓ１  にて枢支連結されている。また、前記可動切断体Ｂの可動フレーム８に形成されたシリンダ連結部８ｃが前記油圧シリンダ１２のピストンロッド１２ｂ側が枢支部Ｓ２  にて枢支連結され、油圧シリンダ１２のシリンダ部１２ａからピストンロッド１２ｂが突出入することにより、前記固定顎Ａに対して前記可動切断体Ｂが揺動する。
【００３６】
【発明の効果】
請求項１の発明は、山形状刃部６を備えた可動切断体Ｂと、該可動切断体Ｂを揺動自在に支持するとともに前記山形状刃部６が挿入自在とした挿入部３ａを有する切断支持部３を備えた固定顎Ａとからなり、前記切断支持部３には前記挿入部３ａの上辺３ａ１  を頂部としてその幅方向両側に下り勾配状の傾斜支持部３ｂ，３ｂが形成されてなる樹木切断機としたことにより、樹木Ｗの切断作業を切り残しが生じないように確実且つ効率的に行うことができる。
【００３７】
上記効果を詳述すると、固定顎Ａに形成された切断支持部３は、その挿入部３ａの幅方向両側に傾斜支持部３ｂ，３ｂが形成されたものである。挿入部３ａは頂部の位置となるので、樹木Ｗはその挿入部３ａで支持され、山形状刃部６が樹木Ｗの切断を行うことにより、樹木Ｗの直径方向に山形状刃部６が食い込んでゆく。
【００３８】
そして、樹木Ｗが部分的に切断されるとともに、樹木Ｗの切断箇所を中心として、挿入部３ａの幅方向両側に形成された傾斜支持部３ｂ，３ｂに樹木Ｗが接近し、切断箇所を中心として樹木Ｗが山形状に折れ曲がり、樹木Ｗの切断の最後の部分が挿入部３ａにより支えられることになる。これによって、挿入部３ａに挿入しようとする山形状刃部６の刃先が樹木Ｗを最後まで確実に切断することができ、切り残しの部分が生じないようにすることができ、切断作業の効率を向上させることができる。
【００３９】
請求項２の発明は、請求項１において、前記傾斜支持部３ｂ，３ｂは、勾配方向を直線状に形成されてなる樹木切断機としたことにより、切断支持部３の構造を極めて簡単にすることができる。上記効果を詳述すると、幅方向の中心位置に挿入部３ａが形成され、且つ該挿入部３ａが長手方向に沿って直線状にしているので、挿入部３ａの幅方向両側に形成された傾斜支持部３ｂ，３ｂも平坦状にすることが容易にできるもので、製造及び構造が簡単なものにできる。
【００４０】
請求項３の発明は、請求項１又は２において、前記山形状刃部６は、その刃渡り方向に沿ってほぼ多角形状に形成されてなる樹木切断機としたことにより、樹木Ｗの切断作業効率を向上させることができる。
【００４１】
請求項４の発明は、請求項１又は２において、前記山形状刃部６は、その刃渡り方向に沿ってほぼ三角形状に形成されてなる樹木切断機としたことにより、前記山形状刃部６は、その刃渡り方向に沿ってほぼ三角形状に形成されたもので、最も鋭利な角部を形成し、これによって樹木Ｗへの切り込みをより一層良好にすることができ、極めて柔軟な種類の樹木の切断ができるものである。
【００４２】
請求項５の発明は、請求項１，２，３又は４において、前記切断支持部３の挿入部３ａは長手方向に沿ってほぼ直線状に形成されてなる樹木切断機としたことにより、樹木Ｗの切断において、極めて強力なる切断荷重を得ることができる。
【００４３】
請求項６の発明は、請求項１，２，３又は４において、前記切断支持部３の挿入部３ａは前記山形状刃部６の刃先形状とほぼ同等の凹み弧状に形成されてなる樹木切断機としたことにより、樹木Ｗの切断作業時において、樹木Ｗを切断支持部３により安定した状態で切断することができる。
【００４４】
請求項７の発明は、請求項１，２，３，４，５又は６において、前記傾斜支持部３ｂ，３ｂは、固定顎Ａの長手方向に沿って設けられた複数の凸形支持条３ｂ１  ，３ｂ１  ，…からなり、該凸形支持条３ｂ１  ，３ｂ１  ，…は前記切断支持部３の幅方向両側において下り勾配に沿う高さとなる樹木切断機としたことにより、樹木切断機の重量を軽減することができ、また樹木Ｗの切断作業において樹木Ｗを安定した状態で切断することができる等の効果を奏する。
【００４５】
上記効果を詳述すると、切断支持部３を複数の凸形支持条３ｂ１  ，３ｂ１  ，…にて形成し、各凸形支持条３ｂ１  の頂面３ｂ１１を前後方向に直交する断面にて下り勾配状となるようにすることで、前記切断支持部３の肉厚を部分的に薄くすることができる。すなわち、切断支持部３を複数の凸形支持条３ｂ１  ，３ｂ１  ，…にて構成することで、これによって切断支持部３は必要最小限の支持面積を得ることができるとともに、隣接する凸形支持条３ｂ１  ，３ｂ１  の間に溝状の隙間が形成されることで軽量化を図ることができるものである。
【００４６】
また、複数の凸形支持条３ｂ１  ，３ｂ１  ，…により、樹木Ｗを切断するときに、可動切断体Ｂの切断力が樹木Ｗを切断支持部３側に向かって押圧することとなり、その樹木Ｗが隣接する凸形支持条３ｂ１  ，３ｂ１  間に食い込むようにして支持される状態となり、切断作業時における樹木Ｗを安定した状態で支持し、確実なる切断を行うことができる。
【００４７】
請求項８の発明は、請求項１，２，３，４，５又は６において、前記傾斜支持部３ｂ，３ｂは、平坦支持面３ｂ２  ，３ｂ２  としてなる樹木切断機としたことにより、切断作業において、固定顎Ａ側に切り屑やゴミ等が溜まりにくいものにすることができる。
【図面の簡単な説明】
【図１】（Ａ）は第１タイプの切断支持部を設けた本発明の斜視図
（Ｂ）は第１タイプの切断支持部を設けた固定顎の要部斜視図
【図２】（Ａ）は第１タイプの切断支持部を設けた固定顎の縦断側面図
（Ｂ）は第１タイプの切断支持部を設けた固定顎及び山形状刃部の縦断正面図（Ｃ）は第１タイプの切断支持部の変形例を設けた固定顎及び山形状刃部の縦断正面図
【図３】（Ａ）は可動切断体と固定顎とが開いた状態の側面図
（Ｂ）は可動切断体と固定顎とが閉じた状態の一部断面にした側面図
【図４】（Ａ）は樹木切断初期状態の工程図
（Ｂ）は樹木切断中期状態の工程図
（Ｃ）は樹木切断完了状態の工程図
【図５】（Ａ）は第２タイプの切断支持部を設けた本発明の斜視図
（Ｂ）は第２タイプの切断支持部を設けた固定顎の要部斜視図
（Ｃ）は第２タイプの切断支持部を設けた固定顎及び山形状刃部の縦断正面図
【図６】（Ａ）は第３タイプの切断支持部を設けた固定顎の縦断側面図
（Ｂ）は第３タイプの切断支持部を設けた固定顎の要部斜視図
（Ｃ）は第３タイプの切断支持部を設けた固定顎及び山形状刃部の縦断正面図
【図７】（Ａ）は山形状刃部を多角形状とした側面図
（Ｂ）は山形状刃部を三角形状とした側面図
【符号の説明】
Ａ…固定顎
Ｂ…可動切断体
３…切断支持部
３ａ…挿入部
３ａ１  …上辺
３ｂ…傾斜支持部
３ｂ１  …凸形支持条
３ｂ１１…頂面
３ｂ２  …平坦支持面
６…山形状刃部
【図１】
2004187535.tif 000003
【図２】
2004187535.tif 000004
【図３】
2004187535.tif 000005
【図４】
2004187535.tif 000006
【図５】
2004187535.tif 000007
【図６】
2004187535.tif 000008
【図７】
2004187535.tif 000009